(57)【特許請求の範囲】
【請求項１】
導光板の側面から入射される光を、前記導光板の前面から出射し、所定の表示情報を発光表示する遊技機の表示装置において、
前記導光板は、
後面に凹設され、前記前面側から見て前記表示情報に対応した形状を有する凹部と、
前記前面に凸設され、前記前面側から見て前記表示情報に対応した形状を有すると共に、前記凹部と断面の形状及び大きさが同一の凸部とを具備し、
前記側面から入射されて前記導光板内を進む光の進行方向を前記凹部において変更し、当該光を前記凸部に導いて出射することを特徴とする遊技機の表示装置。
【発明の詳細な説明】
【技術分野】
【０００１】
本発明は、遊技機の表示装置の技術に関する。
【背景技術】
【０００２】
従来、導光板の側面から入射される光を、当該側面に対して略垂直に配置される導光板の前面から出射し、所定の表示情報を発光表示する遊技機の表示装置の技術は公知となっている。例えば、特許文献１に記載の如くである。
【０００３】
特許文献１に記載の技術では、導光板の後面に、文字や図柄等の表示情報に対応した形状の凹部を形成し、側面から入射される光の進行方向を当該凹部において変更して、当該光を前面へと導いている。これによって、導光板の前面において表示情報を発光表示することができる。
【先行技術文献】
【特許文献】
【０００４】
【特許文献１】特開２００６−７５３６２号公報
【発明の概要】
【発明が解決しようとする課題】
【０００５】
しかしながら、特許文献１に記載の技術では、導光板の前面は平面状であり、発光表示される表示情報も平面的であるため、装飾性（演出性）に欠けるという問題点があった。
【０００６】
本発明は、以上の如き問題点に鑑みてなされたものであり、その解決しようとする課題は、装飾性（演出性）が高く、従来の表示装置では実現し得なかった新鮮な印象を遊技者に与えることができる遊技機の表示装置を提供することである。
【課題を解決するための手段】
【０００７】
本発明の解決しようとする課題は以上の如くであり、次にこの課題を解決するための手段を説明する。
【０００８】
即ち、請求項１においては、導光板の側面から入射される光を、前記導光板の前面から出射し、所定の表示情報を発光表示する遊技機の表示装置において、前記導光板は、後面に凹設され、前記前面側から見て前記表示情報に対応した形状を有する凹部と、前記前面に凸設され、前記前面側から見て前記表示情報に対応した形状を有すると共に、前記凹部と断面の形状及び大きさが同一の凸部とを具備し、前記側面から入射されて前記導光板内を進む光の進行方向を前記凹部において変更し、当該光を前記凸部に導いて出射するものである。
【発明の効果】
【００１１】
本発明の効果として、以下に示すような効果を奏する。
【００１２】
請求項１においては、遊技者が前面を見た場合、凸部が光っているように見える。このため、前面が平面である場合と異なった見せ方を実現でき、遊技者に立体物が発光しているかのような新鮮な印象を与えることができる。
【図面の簡単な説明】
【００１５】
【図１】本発明の一実施形態に係る表示装置を備える遊技機の全体的な構成を示した正面図。
【図２】同じく、遊技機の窓枠が開放された状態を示した前方斜視図。
【図３】同じく、遊技盤を示した正面図。
【図４】表示装置を示した斜視図。
【図５】同じく、正面図。
【図６】同じく、底面図。
【図７】図５におけるＢ−Ｂ断面を示した図。
【図８】発光源から光が照射された際の図５におけるＢ−Ｂ断面を示した図。
【図９】同じく、発光源から光が照射された際の表示装置を示した正面図。
【図１０】（ａ）導光板の変形例を示した断面図。（ｂ）導光板の他の変形例を示した断面図。（ｃ）同じく、断面図。
【図１１】（ａ）導光板の変形例を示した断面図。（ｂ）導光板の他の変形例を示した断面図。
【図１２】導光板の変形例を示した断面図。
【発明を実施するための形態】
【００１６】
まず、本発明の一実施形態である表示装置１００を備える遊技機１の全体的な構成について、図１から図３を用いて説明する。
なお、以下の説明では、遊技機１を遊技者から見て、手前側を遊技機１の前側とし、奥側を遊技機１の後側として、前後方向を規定する。また、遊技機１を遊技者から見て、左手側を遊技機１の左側とし、右手側を遊技機１の右側として、左右方向を規定する。
【００１７】
遊技機１は、図１から図３が示すように、主として、外枠２と、中枠３と、窓枠４と、により構成される枠体に、各種の遊技部品が取り付けられて形成される。
【００１８】
外枠２は、遊技機１の外郭を成し、前後面が開口された略四角筒状に形成される枠体である。外枠２は、パチンコホール等の遊技場に設けられた台島に設置される。外枠２には、中枠３が設けられる。
【００１９】
中枠３は、前後面が開口された略四角筒状に形成される枠体である。中枠３は、外枠２の前側の開口部にヒンジ等の軸支部材を介して回動可能に支持される。中枠３には、窓枠４と、下皿ユニット５と、遊技盤６と、が設けられる。
【００２０】
窓枠４は、中央が開口された略平板状に形成される枠体である。窓枠４は、正面視で中枠３の下部を除く略全面に渡って配置される。窓枠４は、中枠３の前側の開口部にヒンジ部材を介して回動可能に支持される。窓枠４の中央には、正面視で略円形状の窓枠開口部７が形成される。窓枠開口部７は、透明板１９により被覆される。窓枠開口部７の下部には、発射前の遊技球が貯溜される上皿８が配設される。窓枠開口部７の左右上方には、スピーカ９がそれぞれ配設される。
【００２１】
下皿ユニット５は、中枠３の下部であって窓枠４の下方に取り付けられる。下皿ユニット５の中央には、上皿８から溢れた遊技球が貯溜される下皿１７が配設される。下皿ユニット５の右部であって下皿１７の右方には、発射ハンドル１８が配設される。発射ハンドル１８は、上皿８に貯溜された遊技球を発射可能に構成される。
【００２２】
遊技盤６は、遊技球が転動する領域である遊技領域２５が形成される部材である。遊技盤６は、窓枠４の後方であって、正面視で中枠３の下部を除く略全面に渡って配置される。遊技盤６は、中枠３に着脱可能に取り付けられる。なお、遊技盤６の遊技領域２５は、窓枠４の窓枠開口部７の後方に配置され、前方から透明板１９を介して視認可能に構成される。
【００２３】
次に、遊技盤６の構成について、図３を用いてさらに詳細に説明する。
【００２４】
遊技盤６は、図３に示すように、遊技板１０と、ガイドレール１１と、センター役物１２と、図柄表示装置１３と、始動入賞装置１４と、大入賞装置１５と、アウト口１６と、表示装置１００等により構成される。
【００２５】
遊技板１０は、四隅が適宜に切り欠けられた略平板状に形成される部材である。遊技板１０には、遊技盤６を構成する各種の遊技部品が取り付けられる。
【００２６】
ガイドレール１１は、略円弧帯状に形成される部材である。ガイドレール１１は、遊技板１０に、前方へ向けて立ち上がり状に取り付けられる。ガイドレール１１は、正面視で略円形状を形成するように配置される。なお、遊技板１０においてガイドレール１１によって略円形状に形成された内側の領域が、遊技球が転動する領域である遊技領域２５として構成される。
【００２７】
センター役物１２は、その外観により遊技板１０を装飾する部材である。センター役物１２は正面視で略環状であって、その中央にセンター開口部２７が前後方向に貫通して形成される。センター役物１２は、遊技板１０を前後方向に貫通するように当該遊技板１０の中央から上部に渡って形成される孔に前方から挿入され、ボルト等によって取り付けられる。
【００２８】
図柄表示装置１３は、前方を臨むように配設された液晶画面２６に図柄や数字等の変動（図柄遊技）を表示するように構成される装置である。図柄表示装置１３は、遊技板１０の後方に配置される。より詳細には、図柄表示装置１３の液晶画面２６が、遊技板１０に取り付けられたセンター役物１２のセンター開口部２７の後方に配置される。これによって、前方からセンター開口部２７を介して液晶画面２６に表示される図柄遊技を視認することができる。
【００２９】
始動入賞装置１４は、所定の作動条件に応じて左右一対の可動片２８が開閉作動し、始動入賞口１４ａに遊技球が入球（入賞）可能な開放状態と入球（入賞）不能な閉塞状態とに切り替え可能に構成される装置である。始動入賞装置１４は、遊技領域２５の下部であってセンター役物１２の下方に配置される。なお、始動入賞装置１４は、前記開放状態において始動入賞口１４ａに遊技球が入球（入賞）すると図示せぬ賞球払出装置によって所定数の遊技球（賞球）が払い出されるように構成される。
【００３０】
大入賞装置１５は、所定の大当たり抽選により大当たりが選択されると、大入賞口１５ａを開放して遊技球が入球（入賞）可能に構成される装置である。大入賞装置１５は、遊技領域２５の下部であって始動入賞装置１４の下方に配置される。なお、大入賞装置１５は、開放した大入賞口１５ａに遊技球が入球すると図示せぬ賞球払出装置によって所定数の遊技球（賞球）が払い出されるように構成される。
【００３１】
アウト口１６は、遊技領域２５を転動する遊技球が、大入賞口１５ａや始動入賞口１４ａ等の各入賞口に入球（入賞）しなかった場合に、最終的に流入する開口部である。アウト口１６は、遊技領域２５の最下部に配置される。なお、アウト口１６に流入した遊技球は、遊技機１が設置されたパチンコホール等の遊技場側に回収される。
【００３２】
表示装置１００は、その外観及び所定の表示情報（本実施形態においては、「Ａ」の文字）を発光表示することにより遊技板１０を装飾する部材である。表示装置１００は、正面視で左上方から右下方へと斜めに延びる細長い形状に形成される。表示装置１００は、センター役物１２の左下方に配置される。
【００３３】
次に、表示装置１００の構成について詳細に説明する。
なお、表示装置１００は正面視（図３参照）で左上方から右下方へと斜めに延びる細長い形状に形成されると上述したが、以下では説明の便宜上、当該表示装置１００の形状を簡略化し、正面視で略矩形状に形成されるものとして説明する。
【００３４】
図４から図７までに示す表示装置１００は、主として導光板１１０と、発光源１２０と、により構成される。
【００３５】
導光板１１０は、入射される光の進行方向を変更して出射することで、所定の表示情報を発光表示するものである。導光板１１０は、透光性を有するアクリル樹脂により略矩形板状に形成され、その板面を前後方向に向けて配置される。
【００３６】
導光板１１０の前面１１１には、正面視において「Ａ」の文字の縁に沿うように（縁取りをするように）して凸部１１１ａが形成される。すなわち、凸部１１１ａは、表示情報である「Ａ」の文字に対応した形状となるように形成される。
【００３７】
図６及び図７に示すように、凸部１１１ａは、前面１１１から前方に向かって凸設され、当該凸部１１１ａは、断面視において半円状（円周を直径で二等分したもののうちの一方の形状）となるように形成される。また、図４から図６までに示すように、凸部１１１ａの表面には、シボ加工が施される。
【００３８】
導光板１１０の前面１１１と対向する後面１１２には、正面視において「Ａ」の文字の縁に沿うように（縁取りをするように）して凹部１１２ａが形成される。すなわち、凹部１１２ａは、表示情報である「Ａ」の文字に対応した形状となるように形成される。
【００３９】
図６及び図７に示すように、凹部１１２ａは、後面１１２から前方に向かって窪むように凹設され、当該凹部１１２ａは、断面視において半円状となるように形成される。凹部１１２ａの断面視における形状（半円状）は、凸部１１１ａの断面視における形状（半円状）と同一形状となるように形成される。また、凹部１１２ａは、凸部１１１ａの真後に（凸部１１１ａに対向する位置に）形成され、正面視において当該凸部１１１ａと同一形状となるように形成される。
【００４０】
図４から図７までに示す発光源１２０は、導光板１１０に対して光を照射するものである。発光源１２０は、主として基板１２１と、ＬＥＤ１２２・１２２・・・と、により構成される。
【００４１】
基板１２１は略矩形板状に形成され、その板面を左右方向に向けて配置される。基板１２１の右側面には、ＬＥＤ１２２・１２２・・・が互いに所定間隔をおいて実装される。
【００４２】
発光源１２０は、導光板１１０の左側面１１３（側面）と対向する位置（導光板１１０の左方）に配置される。なお、説明の便宜上、本実施形態においては発光源１２０は導光板１１０と所定間隔をおいて配置されているものとして図示するが、発光源１２０を導光板１１０に密着させた状態で配置しても良い（例えば、図３参照）。
【００４３】
このように構成された発光源１２０において、ＬＥＤ１２２・１２２・・・を発光させると、当該ＬＥＤ１２２・１２２・・・から右方に向かって、すなわち導光板１１０の左側面１１３に向かって光を照射することができる。
【００４４】
次に、図８及び図９を用いて、上述の如く構成された表示装置１００において、ＬＥＤ１２２・１２２・・・を発光させた際の様子について説明する。
【００４５】
図８に示すように、発光源１２０のＬＥＤ１２２・１２２・・・を発光させると、当該ＬＥＤ１２２・１２２・・・からの光は導光板１１０の左側面１１３（側面）から当該導光板１１０内へと入射する。
【００４６】
導光板１１０内へと入射した光は、当該導光板１１０の後面１１２に形成された凹部１１２ａにおいて反射又は屈折されることにより、その進行方向を変更される。そして、当該進行方向を変更された光は当該導光板１１０の前面１１１に形成された凸部１１１ａへと導かれ、凸部１１１ａから出射される。
【００４７】
上述の如く凸部１１１ａへと導かれた光によって、図９に示すように凸部１１１ａが発光し、表示情報である「Ａ」の文字が発光する（発光表示される）ことになる。
【００４８】
このように凸部１１１ａが発光した状態の表示装置１００を遊技者に前方から視認させることで、立体物（凸部１１１ａ）が発光しているような新鮮な印象を当該遊技者に与えることができる。また、凸部１１１ａは断面視において半円状に形成されているため、遊技者からは円形断面の立体物が発光しているように見え、例えば、ネオン管が発光しているかのような印象を当該遊技者に与えることができる。
【００４９】
次に、図４から図６までを用いて、上述の如く構成された表示装置１００において、ＬＥＤ１２２・１２２・・・を消灯させた際の様子について説明する。
【００５０】
ＬＥＤ１２２・１２２・・・を消灯させると、導光板１１０の凸部１１１ａが発光することはない。この際、凸部１１１ａの表面にはシボ加工が施されているため、遊技者からは表面が曇ったような状態の凸部１１１ａが視認される。これによって、当該遊技者に、導光板１１０の前面１１１に、例えば、消灯した状態のネオン管があるような印象を与えることができる。
【００５１】
またこの際、凹部１１２ａは凸部１１１ａの真後に同一形状となるように形成されているため、正面（前方）から見ると当該凹部１１２ａは凸部１１１ａと重複することになる。したがって、導光板１１０の前方から当該導光板１１０を視認した場合、凸部１１１ａの背後に凹部１１２ａが隠れて、前方から凹部１１２ａを視認することができない。これによって、凸部１１１ａの周囲から凹部１１２ａが透けて見えて、表示情報たる「Ａ」の文字が二重に見えることを防止することができる。
【００５２】
以上の如く、本実施形態に係る遊技機１の表示装置１００は、
導光板１１０の左側面１１３（側面）から入射される光を、導光板１１０の前面１１１から出射し、所定の表示情報（「Ａ」の文字）を発光表示する遊技機１の表示装置１００において、
導光板１１０は、
後面１１２に凹設され、前面１１１側から見て前記表示情報に対応した形状を有する凹部１１２ａと、
前面１１１に凸設され、前面１１１側から見て前記表示情報に対応した形状を有する凸部１１１ａと、
を具備し、
左側面１１３から入射されて導光板１１０内を進む光の進行方向を凹部１１２ａにおいて変更し、当該光を凸部１１１ａに導いて出射するものである。
【００５３】
このように構成することにより、遊技者が前面１１１を見た場合、凸部１１１ａが光っているように見える。このため、前面１１１が平面である場合と異なった見せ方を実現でき、遊技者に立体物が発光しているかのような新鮮な印象を与えることができる。すなわち、装飾性（演出性）の高い表示装置１００を提供することができる。
【００５４】
また、凸部１１１ａは前面１１１に直交する方向に切断した断面において半円状断面を有するものである。
【００５５】
このように構成することにより、凸部１１１ａが光っている状態においては、遊技者からは円形断面の物体が光っているように見えるため、ネオン管が発光しているかのような印象を与えることができる。すなわち、装飾性（演出性）の高い表示装置１００を提供することができる。
【００５６】
また、凸部１１１ａにはシボ加工が施されるものである。
【００５７】
このように構成することにより、凸部１１１ａが光っていない状態においては、遊技者からは表面が曇ったような状態の凸部１１１ａが視認されるため、消灯した状態のネオン管があるような印象を与えることができる。すなわち、装飾性（演出性）の高い表示装置１００を提供することができる。
【００５８】
なお、導光板１１０は略矩形板状であるとしたが、本発明はこれに限るものではなく、その他の形状（例えば、円形板状や、多角形板状等のより複雑な形状等）であっても良い。
また、導光板１１０内に光を拡散させるための異特性物質を入れ込んだり、導光板１１０の後面１１２に光を拡散させるための微細なドットパターンを形成したりすることも可能である。
また、導光板１１０はアクリル樹脂により形成されるものとしたが、本発明はこれに限るものではなく、他の光を透過することができる（透光性を有する）材料を用いても良い。
また、本実施形態においては、表示情報として「Ａ」の文字を例示したが、本発明はこれに限るものではなく、表示情報としてその他の文字や図柄等を適用することも可能である。その場合、凸部１１１ａ及び凹部１１２ａは、正面視において当該文字や図柄等に対応する（すなわち、当該文字や図柄等を発光表示できるような）形状となるように形成する。
【００５９】
また、発光源１２０からの光を導光板１１０の左側面１１３から入射させるものとしたが、本発明はこれに限るものではなく、導光板１１０の他の側面（例えば右側面、下側面等）から入射させる構成としても良い。
また、ＬＥＤ１２２・１２２・・・を発光させて導光板１１０に光を照射するものとしたが、本発明はこれに限るものではなく、発光源１２０は導光板１１０に光を照射することができるものであれば良い。
【００６０】
また、導光板１１０の凸部１１１ａ及び凹部１１２ａは、断面視において半円状（円周を直径で二等分したもののうちの一方の形状）に形成されるものとしたが、本発明はこれに限るものではない。
すなわち、図１０（ａ）に示すように、凸部１１１ａ及び（又は）凹部１１２ａを、断面視において略半円状（円周を直径ではない直線（弧）で二分割したもののうちの一方の形状）に形成しても良い。
また、図１０（ｂ）に示すように、凸部１１１ａ（又は凹部１１２ａのうち少なくとも一方）を、断面視において三角形状に形成しても良い。
また、図１０（ｃ）に示すように、凸部１１１ａ（又は凹部１１２ａのうち少なくとも一方）を、断面視において矩形状に形成しても良い。
【００６１】
また、導光板１１０の凸部１１１ａ及び凹部１１２ａは、断面視において同一形状となるように形成されるものとしたが、本発明はこれに限るものではない。
すなわち、図１１（ａ）に示すように、凸部１１１ａと凹部１１２ａとの大きさが異なっていても良い。
【００６２】
また、導光板１１０の凹部１１２ａは凸部１１１ａの真後に（凸部１１１ａに対向する位置に）形成されるものとしたが、本発明はこれに限るものではなく、凹部１１２ａにおいて進行方向を変更された光が凸部１１１ａに導かれる構成であれば良い。
すなわち、図１１（ｂ）に示すように、凸部１１１ａと凹部１１２ａとが上下左右方向に相対的にずれるように形成されていても良い。この際、遊技者の目線から見て、凹部１１２ａが凸部１１１ａと重複し、当該凹部１１２ａが凸部１１１ａの背後に隠れて遊技者から視認できないような位置関係になることが望ましい。
【００６３】
また、導光板１１０は１枚の板状の部材で構成するものとしたが、本発明はこれに限るものではなく、図１２に示すように２枚の板状の部材（前板１１０ａ及び後板１１０ｂ）を前後に重ね合わせて構成することも可能である。この場合、前板１１０ａの前面１１１に凸部１１１ａが形成され、後板１１０ｂの後面１１２に凹部１１２ａが形成される。凹部１１２ａにおいて進行方向を変更された光は、後板１１０ｂ及び前板１１０ａ内を進行し、凸部１１１ａに導かれ、前面１１１から出射される。
【符号の説明】
【００６４】
１：遊技機，１００：表示装置，１１０：導光板，１１１：前面，１１１ａ：凸部，１１２：後面，１１２ａ：凹部，１２０：発光源，１２２：ＬＥＤ
【図１】
0005477338.tif 000002
【図２】
0005477338.tif 000003
【図３】
0005477338.tif 000004
【図４】
0005477338.tif 000005
【図５】
0005477338.tif 000006
【図６】
0005477338.tif 000007
【図７】
0005477338.tif 000008
【図８】
0005477338.tif 000009
【図９】
0005477338.tif 000010
【図１０】
0005477338.tif 000011
【図１１】
0005477338.tif 000012
【図１２】
0005477338.tif 000013